(57)【要約】【課題】記録媒体において画像形成後に加工が施される領域の画像のトナーが剥離するのを抑制または防止する。【解決手段】立方体のパッケージ等を組み立てるための画像を用紙等に形成する際に、画像形成後に断裁加工が施される断裁部３０１Ａや折り加工が施される折り目３０２Ａを含む領域をスクリーン変更領域３０１Ｂ，３０２Ｂとし、そのスクリーン変更領域３０１Ｂ，３０２Ｂに形成される画像のスクリーンの方向（スクリーンの角度）と、断裁部３０１Ａや折り目３０２Ａの加工方向との角度差が小さくなる方向に角度を変更した。これにより、画像形成後の用紙等に対して断裁加工や折り加工を施す時に、断裁部３０１Ａや折り目３０２Ａ等に形成された画像のトナーが剥離してしまうのを抑制または防止する。【選択図】図６
2014043043.tif 000002
【特許請求の範囲】
【請求項１】
トナーにより形成された画像を保持する像保持体と、
前記像保持体の画像を記録媒体に転写する転写手段と、
前記記録媒体に転写された画像を定着する定着手段と、
前記記録媒体の画像形成領域のうち、画像形成後に加工が施される領域においては、画像形成のためのスクリーンの種類または角度を変更することを特徴とする画像形成装置。
【請求項２】
前記角度を変更する場合に、前記画像形成後に加工が施される領域の加工方向と前記画像形成のためのスクリーンの方向との角度差が小さくなる方向に角度を変更することを特徴とする請求項１記載の画像形成装置。
【請求項３】
前記記録媒体に応じて、前記画像形成のためのスクリーンの種類または角度を変更する範囲を変更することを特徴とする請求項１または２記載の画像形成装置。
【請求項４】
前記画像形成領域において画像濃度が予め定めた濃度よりも高い濃度の領域がある場合において、前記予め定めた濃度よりも高い濃度の領域のうち、前記画像形成後に加工が施される領域の濃度を、前記画像形成後に加工が施される領域以外の領域の濃度よりも低くすることを特徴とする請求項１〜３のいずれか１項に記載の画像形成装置。
【発明の詳細な説明】
【技術分野】
【０００１】
本発明は、画像形成装置に関するものである。
【背景技術】
【０００２】
近年、画像形成装置においては、ラベルやパッケージ等のような付加価値の高い印刷物への印刷が求められてきている。このパッケージ等には、画像形成後に、折り目加工、ミシン目（切り取り用の破線状の孔）加工または断裁加工等のような加工が施される領域が存在するが、それら領域においては、折り曲げや切断等の加工時に画像部分に力が加わるので画像のトナーが剥離し易い。
【０００３】
折り目加工部におけるトナーの剥離防止については、定着強度の高いトナーを印刷する技術（例えば特許文献１参照）や定着装置での定着温度を用紙に応じて調整する技術（例えば特許文献２参照）が開示されている。
【０００４】
なお、例えば特許文献３には、画像形成装置において受信した印刷データに画像処理を施して印刷可能なデータにした後に、当該データを印刷エンジンに出力する画像形成装置が開示されている。また、例えば特許文献４には、画像形成処理時に生じるバンディング傾向を特定し、その傾向に応じたスクリーンを選択する技術が開示されている。
【先行技術文献】
【特許文献】
【０００５】
【特許文献１】特開２０１１−９５７３６号公報
【特許文献２】特開平４−３１５１８６号公報
【特許文献３】特開２００４−２３７５８４号公報
【特許文献４】特開２００７−８１８３０号公報
【発明の概要】
【発明が解決しようとする課題】
【０００６】
本発明は、記録媒体において画像形成後に加工が施される領域の画像のトナーが剥離するのを抑制または防止することのできる技術を提供することを目的とする。
【課題を解決するための手段】
【０００７】
上記課題を解決するため、請求項１に記載の本発明の画像形成装置は、トナーにより形成された画像を保持する像保持体と、前記像保持体の画像を記録媒体に転写する転写手段と、前記記録媒体に転写された画像を定着する定着手段と、前記記録媒体の画像形成領域のうち、画像形成後に加工が施される領域においては、画像形成のためのスクリーンの種類または角度を変更することを特徴とする。
【０００８】
請求項２に記載の発明は、上記請求項１に記載の発明において、前記角度を変更する場合に、前記画像形成後に加工が施される領域の加工方向と前記画像形成のためのスクリーンの方向との角度差が小さくなる方向に角度を変更することを特徴とする。
【０００９】
請求項３に記載の発明は、上記請求項１または２に記載の発明において、前記記録媒体に応じて、前記画像形成のためのスクリーンの種類または角度を変更する範囲を変更することを特徴とする。
【００１０】
請求項４に記載の発明は、上記請求項１〜３のいずれか１項に記載の発明において、前記画像形成領域において画像濃度が予め定めた濃度よりも高い濃度の領域がある場合において、前記予め定めた濃度よりも高い濃度の領域のうち、前記画像形成後に加工が施される領域の濃度を、前記画像形成後に加工が施される領域以外の領域の濃度よりも低くすることを特徴とする。
【発明の効果】
【００１１】
請求項１記載の発明によれば、記録媒体において画像形成後に加工が施される領域の画像のトナーが剥離するのを抑制または防止することが可能になる。
【００１２】
請求項２記載の発明によれば、記録媒体において画像形成後に加工が施される領域の画像のトナーが剥離するのをより効果的に抑制または防止することが可能になる。
【００１３】
請求項３記載の発明によれば、記録媒体において画像形成後に加工が施される領域の外観を損なうことなく、画像のトナーが剥離するのを抑制または防止することが可能になる。
【００１４】
請求項４記載の発明によれば、画像濃度が予め定めた濃度よりも高い濃度の領域のうち、画像形成後に加工が施される領域の画像のトナーが剥離するのを抑制または防止することが可能になる。
【図面の簡単な説明】
【００１５】
【図１】本発明の一実施の形態に係る画像形成装置の一例の概念図である。
【図２】図１の画像形成装置の制御部の構成を示すブロック図である。
【図３】印刷データの一例を模式的に示した図である。
【図４】画像形成後に施される加工データの一例を模式的に示した図である。
【図５】スクリーン適用後の印刷データを模式的に示した図である。
【図６】スクリーン変更領域を付加した後における画像形成後に施される加工データを模式的に示した図である。
【図７】画像形成データを模式的に示した図である。
【発明を実施するための形態】
【００１６】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１７】
図１は本発明の一実施の形態に係る画像形成装置１の一例の概念図である。
【００１８】
本実施の形態の画像形成装置１は、例えばタンデム型のカラープリンタであり、複数の作像ユニット２０と、中間転写ベルト（像保持体の一例）３０と、バックアップロール４１および二次転写ロール（転写手段の一例）４２の対と、用紙供給トレイ５０ａ，５０ｂと、用紙搬送系６０と、定着装置（定着手段の一例）７０とを備えている。
【００１９】
作像ユニット２０は、例えばイエロー、マゼンタ、シアンおよびブラックの各色のトナー像を形成する４つのカラー用の作像ユニット２０Ｙ，２０Ｍ，２０Ｃ，２０Ｋと、例えば透明色のトナー像を転写する透明色用の作像ユニット２０ＣＬ，２０ＣＬとを備えており、各色の画像情報に応じて形成したトナー像を中間転写ベルト３０に一次転写するようになっている。これら６基の作像ユニット２０ＣＬ，２０Ｙ，２０Ｍ，２０Ｃ，２０Ｋは中間転写ベルト３０の回転方向に沿って透明色、透明色、イエロー、マゼンタ、シアンおよびブラックの各色の順に配置されている。
【００２０】
各作像ユニット２０は、感光体ドラム２１と、感光体ドラム２１の表面を予め決められた電位に帯電させる帯電装置８０と、帯電された感光体ドラム２１上にレーザ光Ｌを照射して静電潜像を形成する露光装置２３と、露光装置２３により感光体ドラム２１上に形成された静電潜像を現像してトナー像を形成する現像装置２４と、感光体ドラム２１上のトナー像を一次転写部において中間転写ベルト３０に転写する一次転写ロール２５と、トナー像を転写した後の感光体ドラム２１の表面から残留トナーや紙粉等を除去するドラムクリーナ２６とを備えている。なお、各作像ユニット２０の上方には、現像装置２４にトナーを供給するトナーカートリッジ２７が設置されている。
【００２１】
各作像ユニット２０の一次転写ロール２５は、各感光体ドラム２１との間に中間転写ベルト３０を挟むようにして配置されている。そして、各一次転写ロール２５にトナーの帯電電極に対して逆極性の転写バイアス電圧が印加されることにより、感光体ドラム２１と一次転写ロール２５との間に電界が形成され、感光体ドラム２１上で電荷を帯びているトナーがクーロン力により中間転写ベルト３０に転写されるようになっている。
【００２２】
上記中間転写ベルト３０は、各作像ユニット２０により形成された各色成分のトナー像が順次転写（一次転写）され保持される部材である。この中間転写ベルト３０は、複数の支持ロール３１ａ〜３１ｆおよびバックアップロール４１に掛け渡された状態で無端状に形成されており、反時計回りの方向に回転しながら各色の作像ユニット２０ＣＬ，２０Ｙ，２０Ｍ，２０Ｃ，２０Ｋのトナー像の一次転写を受けるようになっている。
【００２３】
上記バックアップロール４１および二次転写ロール４２の対は、中間転写ベルト３０上に多重転写されたトナー像を用紙（記録媒体の一例）等に一括転写（二次転写）してフルカラー画像を形成するための機構部であり、中間転写ベルト３０を挟んで互いに対向した状態で配置されている。バックアップロール４１と、二次転写ロール４２との対向部が二次転写部になっている。
【００２４】
バックアップロール４１は、中間転写ベルト３０の裏面側に回転自在に設置され、二次転写ロール４２は、中間転写ベルト３０のトナー像転写面に対向した状態で回転自在に設置されている。バックアップロール４１と二次転写ロール４２とは、その各々の回転軸方向（図１紙面に垂直な方向）が互いに沿うように配置されている。
【００２５】
中間転写ベルト３０のトナー像の転写においては、バックアップロール４１にトナーの帯電極性と同極性の電圧を印加するか、または、二次転写ロール４２にトナーとの帯電極性と逆極性の電圧を印加する。これにより、バックアップロール４１と二次転写ロール４２との間に転写電界が形成され、中間転写ベルト３０上に保持された未定着のトナー像が用紙上に転写される。
【００２６】
上記用紙供給トレイ５０ａ，５０ｂには、各種のサイズおよび厚さの用紙等が収容されている。用紙供給トレイ５０ａ，５０ｂ内の用紙は、用紙搬送系６０のピックアップロール（図示せず）により引き出された後、用紙搬送系６０のレジストロール６２によりタイミングが制御され二次転写部に導入されてトナー像が転写され、さらにその後、用紙搬送系６０の搬送ベルト６３，６４を通じて定着装置７０へと搬送される。
【００２７】
定着装置７０は、二次転写部において用紙等に転写された未定着のトナー像を熱圧着により用紙に定着させる装置であり、加熱ロール７０ａと、これに対向する位置に設けられた加圧ロール７０ｂとを備えている。
【００２８】
二次転写後の用紙は、加熱ロール７０ａと加圧ロール７０ｂとの対向間の定着ニップ部に搬送され、加熱ロール７０ａと加圧ロール７０ｂとに挟まれた状態で排出される。この時、用紙等が加熱ロール７０ａにより加熱されるとともに、加圧ロール７０ｂにより加圧されることにより、トナー像が用紙等に定着される。この定着装置７０を通過した用紙等は、搬送ベルト６５を通じて排出ロール（図示せず）に送られ、画像形成装置１の外部に排出されるようになっている。
【００２９】
次に、図２は図１の画像形成装置１の制御部１００の構成を示すブロック図である。なお、図２の破線の矢印は画像形成後に施される加工データの流れを示している。
【００３０】
制御部１００は、ジョブ受付部１０１と、ジョブ管理部１０２と、画像展開部１０３と、画像処理部１０４と、スクリーン制御部１０５と、スクリーン処理部１０６と、出力処理部１０７とを有している。
【００３１】
ジョブ受付部１０１は、印刷データＤＡ１および画像形成後に施される加工データＤＢ１を受け付ける受付部である。このジョブ受付部１０１の出力は、ジョブ管理部１０２の入力に電気的に接続されており、ジョブ受付部１０１で受け付けられた印刷データＤＡ１および加工データＤＢ１はジョブ管理部１０２に送られるようになっている。
【００３２】
印刷データＤＡ１は、例えば、用紙等の画像形成領域の情報の他、用紙等の種類、坪量および厚み等の情報を有している。また、画像形成後に施される加工データＤＢ１は、画像形成後の用紙等に対して加工が施される領域の情報（加工方法や加工方向等）を有している。
【００３３】
画像形成後に施される加工方法には、例えば、折り加工、ミシン加工（切り取り用の破線状の孔あけ加工）および断裁加工等がある。また、画像形成後に施される加工方向は、用紙等に対して加えられる加工（折り目線、ミシン目線および断裁線等）の方向を指し、位置座標で記されている。
【００３４】
ジョブ管理部１０２は、入力された印刷データＤＡ１および加工データＤＢ１を管理し、そのジョブを順に実行する管理実行部である。このジョブ管理部１０２の出力は、画像展開部１０３、スクリーン制御部１０５および出力処理部１０７の入力に電気的に接続されている。
【００３５】
画像展開部１０３は、ジョブ管理部１０２に従って印刷データＤＡ１および加工データＤＢ１を展開、生成する展開生成部である。画像展開部１０３では画像に関する印刷データ（各色濃度等の情報）が管理される。この画像展開部１０３の出力は、画像処理部１０４およびスクリーン制御部１０５の入力に電気的に接続されている。
【００３６】
画像処理部１０４は、画像展開部１０３で生成された印刷データに対して各種補正や色変換等の処理を施す処理部である。この画像処理部１０４の出力は、スクリーン処理部１０６の入力に電気的に接続されており、画像処理部１０４で処理された印刷データがスクリーン処理部１０６に送られるようになっている。
【００３７】
一方、スクリーン制御部１０５は、スクリーン変更領域（すなわち、画像形成後に加工が施される領域）を決定するとともに、そのスクリーン変更領域のスクリーンの種類（カバレッジ濃度等）、方向（スクリーン角度）またはその両方を設定する制御を行う。スクリーンの方向やカバレッジ濃度の設定については後ほど詳細に説明する。
【００３８】
スクリーン制御部１０５には、ジョブ管理部１０２が管理する印刷データ（用紙等の種類や坪量等の情報）と、画像展開部１０３が管理する印刷データ（各色濃度等の情報）および画像形成後に施される加工データ（加工方法や加工方向等の情報）とが入力される。
【００３９】
また、スクリーン制御部１０５の出力は、スクリーン処理部１０６の入力に電気的に接続されており、スクリーン制御部１０５で生成されたスクリーン変更領域に関するデータはスクリーン処理部１０６に送られるようになっている。
【００４０】
スクリーン処理部１０６は、画像処理部１０４で画像処理された印刷データにスクリーンを適用し、スクリーン処理を施す処理部である。このスクリーン処理部１０６の出力は、出力処理部１０７の入力に電気的に接続されており、スクリーン処理部１０６で生成された画像形成データ（出力データ）は出力処理部１０７に送られるようになっている。
【００４１】
出力処理部１０７は、ジョブ管理部１０２の指示に従ってスクリーン処理部１０６から送られた画像形成データ（出力データ）に基づいて、実際の用紙等上に画像を形成する処理部である。
【００４２】
次に、本実施の形態の画像形成データの作成方法の一例を図２〜図７を参照して説明する。
【００４３】
まず、図２のジョブ受付部１０１に、図３の印刷データＤＡ１および図４の画像形成後に施される加工データＤＢ１が入力される。図３および図４はそれぞれ印刷データＤＡ１および加工データＤＢ１の一例を模式的に示している。
【００４４】
図３に示す印刷データＤＡ１は、例えば立方体のパッケージを形成するための印刷データを示しており、トナーがべた塗りされるべた領域２０１Ａと、べた領域２０１Ａに比べてトナーのカバレッジ濃度が低い低カバレッジ濃度領域２０２Ａとを有している。べた領域２０１Ａは、顕微鏡で見たときにドットの状態（スクリーンの方向等）が視認されないような画像領域であり、画像形成領域において画像濃度が予め定めた濃度よりも高い濃度の領域の一例である。このべた領域２０１Ａは、低カバレッジ濃度領域２０２Ａの一部に隣接した状態で配置されている。
【００４５】
ただし、ここでは、べた領域２０１Ａを例示しているが、当該領域は、べた領域に限定されるものではないく、例えば予め定めた濃度よりも高い濃度の領域であれば、べた領域よりも画像濃度が低い領域としても良い。
【００４６】
一方、図４に示す画像形成後に施される加工データＤＢ１は、実線で示す断裁部（画像形成後に加工が施される領域の一例）３０１Ａと、破線で示す折り目（画像形成後に加工が施される領域の一例）３０２Ａとを有している。断裁部３０１Ａは、立方体のパッケージの十字状の輪郭（外周）部分である。また、折り目３０２Ａは、立方体のパッケージを形成するための折り曲げ部分である。
【００４７】
続いて、ジョブ受付部１０１に入力された印刷データＤＡ１および加工データＤＢ１はジョブ管理部１０２に送られる。ジョブ管理部１０２では、印刷データＤＡ１および加工データＤＢ１のジョブが順に実行される。画像展開部１０３では、ジョブ管理部１０２に従って印刷データおよび画像形成後に施される加工データが展開、生成される。画像展開部１０３では、画像に関する情報（各色濃度等の情報）が管理される。画像処理部１０４では、画像展開部１０３で生成された印刷データに対して各種補正や色変換等の処理が施される。
【００４８】
続いて、スクリーン処理部１０６では、画像処理部１０４で画像処理が施された印刷データに対してスクリーンが適用され、スクリーン処理が施される。図５はスクリーン適用後の印刷データＤＡ２を模式的に示している。この印刷データＤＡ２は、スクリーン適用後のべた領域２０１Ｂと、それに隣接する低カバレッジ濃度領域２０２Ｂとを有している。なお、低カバレッジ濃度領域２０２Ｂのハッチングは、画像のスクリーンの方向（スクリーンの角度）を模式的に示している。
【００４９】
一方、スクリーン制御部１０５では、ジョブ管理部１０２の印刷データ（用紙等の種類や坪量の情報）と、画像展開部１０３の印刷データ（各色濃度等の情報）および画像形成後に施される加工データ（加工方法や加工方向等の情報）とにより、スクリーン変更領域（すなわち、画像形成後に加工が施される領域）が決定された後、そのスクリーン変更領域のスクリーンの種類（カバレッジ濃度）、方向（スクリーンの角度）またはその両方が設定される。
【００５０】
ここで、画像形成のためのスクリーンの種類または角度を変更する範囲は、用紙等に応じて変更される。具体的には、スクリーン変更領域の範囲は、画像展開部１０３が管理する加工データＤＢ１と、ジョブ管理部１０２が管理する印刷データＤＡ１の用紙等の情報とが使用される。
【００５１】
例えば画像形成後の加工が折り加工の場合は、折り目線を中心にして用紙等の厚みの５〜１０倍程度の幅を持つ領域をスクリーン変更領域とする。これは用紙等の厚みが大きくなると折り目でのトナーの剥離幅が大きくなるためである。
【００５２】
また、例えば画像形成後の加工がミシン加工や断裁加工の場合は、折り加工の場合よりもトナーの剥離幅が狭くなるので、ミシン目線や断裁線を中心にして用紙の厚みの３〜１０倍程度の幅を持つ領域をスクリーン変更領域とする。
【００５３】
ここで、図６は、上記のようにして画像形成後に施される加工データＤＢ１を用いて算出したスクリーン変更領域３０１Ｂ，３０２Ｂ（灰色表示部分）を付加した後の画像形成後に施される加工データＤＢ２を模式的に示している。スクリーン変更領域３０１Ｂ，３０２Ｂは、それぞれ断裁部３０１Ａおよび折り目３０２Ａを中心にして用紙等の厚みに比例した幅を持つ領域となっている。これにより、画像形成後に加工が施される領域での外観を損なうことなく、画像形成後に加工が施される領域で画像のトナーが剥離することが抑制または防止される。
【００５４】
ただし、スクリーン変更領域の範囲の決定は、用紙等の厚み応じて制御されることに限定されるものではなく種々変更可能であり、例えば用紙等の弾力性（コシ）に応じて制御しても良い。
【００５５】
また、本実施の形態においては、上記したスクリーン制御部１０５のスクリーンの方向（スクリーンの角度）の設定において、スクリーン変更領域３０１Ｂ，３０２Ｂ（すなわち、画像形成後に加工が施される領域）のスクリーンの方向（スクリーンの角度）と、スクリーン変更領域３０１Ｂ，３０２Ｂの断裁部３０１Ａおよび折り目３０２Ａの加工方向との角度差が小さくなる方向に角度が変更される。ここでは、例えば、画像形成後に加工が施される領域のスクリーンの方向（スクリーンの角度）を、画像形成後に加工が施される領域の加工方向に沿うように配置する。
【００５６】
通常、スクリーンの方向（スクリーンの角度）は色毎に決まっており、イエローは０度、シアンは１５度、ブラックは４５度、マゼンタは７５度とされているが、本実施の形態においては、画像形成後に加工が施される領域での画像形成において、カバレッジ濃度が最も高い色のスクリーンの方向（スクリーンの角度）と、画像形成後に加工が施される領域の加工方向との角度差が小さくなる方向に角度が設定されている。そして、他の色のスクリーン方向（スクリーン角度）はカバレッジ濃度が最も高い色に合わせて変更される。
【００５７】
また、仮に、カバレッジ濃度が最も高い色が２色以上ある場合は、一般的に人の目でトナーの剥離が目立ち易いブラック、シアン、マゼンタ、イエローの順に、画像形成後に加工が施される領域のスクリーンの方向（スクリーンの角度）と、画像形成後に加工が施される領域の加工方向との角度差が小さくなる方向に角度が変更される。
【００５８】
このように本実施の形態によれば、画像形成後に加工が施される領域のスクリーンの方向（スクリーンの角度）と、画像形成後に加工が施される領域の加工方向との角度差が小さくなるように変更することにより、画像形成後の用紙を立方体のパッケージに形成する時に、加工が施される領域で画像のトナーが剥離してしまうのが抑制または防止される。
【００５９】
さらに、本実施の形態においては、上記したスクリーン制御部１０５のカバレッジ濃度の設定において、スクリーン変更領域３０１Ｂ，３０２Ｂ（すなわち、画像形成後に加工が施される領域）のべた領域のカバレッジ濃度がスクリーン変更領域３０１Ｂ，３０２Ｂ（すなわち、画像形成後に加工が施される領域）以外のべた領域のカバレッジ濃度よりも低くなるように設定される。
【００６０】
カバレッジ濃度が最大の場合、その部分は、べた領域となり、上記したスクリーンの方向を制御することによるトナーの剥離抑制防止方法が有効にならない。一方、スクリーン変更領域におけるべた領域のカバレッジ濃度を最大の８０％に低下させても画像の外観は損なわれない。
【００６１】
そこで、本実施の形態においては、スクリーン変更領域３０１Ｂ，３０２Ｂ（すなわち、画像形成後に加工が施される領域）におけるべた領域のカバレッジ濃度を一例として最大の８０％まで低下させる。これにより、上記したスクリーンの方向を制御することによるトナーの剥離抑制防止方法が有効になる。
【００６２】
このように本実施の形態によれば、画像形成後に加工が施される領域におけるべた領域のカバレッジ濃度を、画像形成後に加工が施される領域以外のべた領域のカバレッジ濃度よりも低くしたことにより、画像形成後に加工が施される領域においてスクリーンの方向の制御によるトナーの剥離抑制防止方法が有効になるので、画像の外観を損なうことなく、画像形成後に加工が施される領域におけるべた領域のトナーの剥離が抑制または防止される。
【００６３】
次いで、スクリーン制御部１０５において作成されたスクリーン変更領域の情報、スクリーン方向の情報およびカバレッジ濃度の情報を含む加工データＤＢ２はスクリーン処理部１０６に送られる。
【００６４】
スクリーン処理部１０６では、図５の印刷データＤＡ２と、図６の加工データＤＢ２とから図７の画像形成データＤＡＢ（出力データ）が作成される。図７は画像形成データＤＡＢの一例を模式的に示している。画像形成データＤＡＢは、べた領域２０１Ｂの情報と、低カバレッジ濃度領域２０２Ｂの情報と、断裁部３０１Ａの情報と、折り目３０２Ａの情報と、スクリーン変更領域３０１Ｂ，３０２Ｂの情報とを有している。
【００６５】
べた領域２０１Ｂおよび低カバレッジ濃度領域２０２Ｂにおけるスクリーン変更領域（すなわち、画像形成後に加工が施される領域）３０１Ｂ，３０２Ｂでは、スクリーンの方向（スクリーンの角度）と、加工方向との角度差が小さくなる方向に角度が設定されている。なお、図７では、低カバレッジ濃度領域２０２Ｂにおいて、スクリーン変更領域３０１Ｂ，３０２Ｂのスクリーンの方向が断裁部３０１Ａや折り目３０２Ａに沿う線で示され、スクリーン変更領域３０１Ｂ，３０２Ｂ以外の領域のスクリーンの方向（斜めのハッチング）に対して変わっていることが模式的に示されている。
【００６６】
また、べた領域２０１Ｂにおけるスクリーン変更領域（すなわち、画像形成後に加工が施される領域）３０１Ｂ，３０２Ｂでは、カバレッジ濃度が最大の８０％まで下げられている。なお、図７では、べた領域２０１Ｂにおけるスクリーン変更領域３０１Ｂ，３０２Ｂが断裁部３０１Ａや折り目３０２Ａに沿う線で示され、スクリーン変更領域３０１Ｂ，３０２Ｂ以外のべた領域２０１Ｂの画像濃度よりも低くなっていることが模式的に示されている。
【００６７】
この画像形成データＤＡＢは出力処理部１０７に送られる。出力処理部１０７は、ジョブ管理部１０２の指示に従って、スクリーン処理部１０６で生成された画像形成データＤＡＢに基づき、実際の用紙等上にパッケージ用の画像を形成する。
【００６８】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００６９】
例えば、前記実施の形態においては、中間転写ベルトに転写されたトナー像を用紙に転写する中間転写方式の画像形成装置に適用した場合について説明したが、これに限定されるものではなく、感光体ドラム（像保持体の一例）のトナー像を転写ロール（転写手段の一例）により用紙等に直接転写する直接転写方式の画像形成装置に適用しても良い。
【００７０】
また、前記実施の形態においては、カラー画像を形成する場合について説明したが、例えばモノクロ画像を形成する場合に適用しても良い。
【００７１】
また、前記実施の形態においては、記録媒体として用紙に適用した場合について説明したが、これに限定されるものではなく、例えばフィルム等、画像が形成される様々なものに適用しても良い。
【産業上の利用可能性】
【００７２】
以上の説明では、本発明をカラープリンタに適用した場合について説明したが、例えば、カラー複写機、ファクシミリまたはこれらの機能を合わせ持つ画像形成装置等、他の画像形成装置に適用しても良い。
【符号の説明】
【００７３】
１  画像形成装置
２０，２０Ｙ，２０Ｍ，２０Ｃ，２０Ｋ，２０ＣＬ  作像ユニット
２１  感光体ドラム
２３  露光装置
２４  現像装置
２５  一次転写ロール
３０  中間転写ベルト
４１  バックアップロール
４２  二次転写ロール
５０ａ，５０ｂ  用紙供給トレイ
６０  用紙搬送系
７０  定着装置
７０ａ  加熱ロール
７０ｂ  加圧ロール
８０  帯電装置
１００  制御部
１０１  ジョブ受付部
１０２  ジョブ管理部
１０３  画像展開部
１０４  画像処理部
１０５  スクリーン制御部
１０６  スクリーン処理部
１０７        出力処理部
２０１Ａ，２０１Ｂ  べた領域
２０２Ａ，２０２Ｂ  低カバレッジ濃度領域
３０１Ａ  断裁部
３０１Ｂ  スクリーン変更領域
３０２Ａ  折り目
３０２Ｂ  スクリーン変更領域
ＤＡ１，ＤＡ２  印刷データ
ＤＢ１，ＤＢ２  加工データ
ＤＡＢ  画像形成データ
【図１】
2014043043.tif 000003
【図２】
2014043043.tif 000004
【図４】
2014043043.tif 000005
【図５】
2014043043.tif 000006
【図７】
2014043043.tif 000007
【図３】
2014043043.tif 000008
【図６】
2014043043.tif 000009